(57)【要約】【課題】より幅広いユーザ層が快適にウェブページ等の閲覧対象情報を閲覧できるように配慮した情報閲覧システム、情報閲覧方式および情報閲覧プログラムを得ること。【解決手段】セットトップボックス２０３は、表示対象となるウェブページのＨＴＭＬ文書の各表示要素の従属関係を解析して各表示要素を階層化およびグループ化したレイアウトデータを作成し、所定の階層に該当するグループの各表示要素を配置して画面を構成する。更に各グループの見出しとなる表示要素のサイズを拡大させて、ＴＶモニタ２０２に表示させる。リモートコントローラ２０４の操作により決定操作が行われると、該当するグループの１つ下の階層の各表示要素について同様に画面構成し、ＴＶモニタ２０２に表示させる。ハイパーリンクについて決定操作が行われると、インターネット２０１から該当するウェブページのＨＴＭＬ文書を取得する。【選択図】図２
2006279887.tif 000002
【特許請求の範囲】
【請求項１】
通信ネットワークに接続する通信ネットワーク接続手段と、
画像を表示可能な画像モニタと、
前記通信ネットワーク接続手段によって前記通信ネットワークに接続したときこれから取得される閲覧対象情報の内容を解析して内容別の閲覧対象情報にグループ化する閲覧対象情報解析手段と、
この閲覧対象情報解析手段により解析した閲覧対象情報の少なくとも一部を前記グループにそれぞれ対応付けて前記画像モニタに表示する解析結果表示手段と、
この解析結果表示手段によって前記画像モニタに表示される閲覧対象情報から所望の１つのグループに対応するものを指定する閲覧対象情報指定手段と、
前記解析結果表示手段に対して、この閲覧対象情報指定手段によって指定された閲覧対象情報に対応付けられたグループの閲覧対象情報に切り替えて閲覧対象情報を前記画像モニタに表示することを指示する指定結果表示手段
とを具備することを特徴とする情報閲覧システム。
【請求項２】
通信ネットワークに接続する通信ネットワーク接続手段と、
画像を表示可能な画像モニタと、
前記通信ネットワーク接続手段によって前記通信ネットワークに接続したときこれから取得される閲覧対象情報の内容を解析して内容別に階層化されたグループにグループ化する閲覧対象情報解析手段と、
この閲覧対象情報解析手段により解析した前記閲覧対象情報のうち階層化されたグループの上位から少なくとも一部を前記グループのそれぞれに対応付けて前記画像モニタに表示する解析結果表示手段と、
この解析結果表示手段によって前記画像モニタに表示される閲覧対象情報から所望の１つのグループに対応するものを指定する閲覧対象情報指定手段と、
前記解析結果表示手段に対して、この閲覧対象情報指定手段の指定があるたびに、これによって指定された閲覧対象情報に対応付けられたグループを最上位とするこれよりも下位のグループの閲覧対象情報に切り替えて閲覧対象情報を前記画像モニタに表示することを指示する指定結果表示手段
とを具備することを特徴とする情報閲覧システム。
【請求項３】
通信ネットワークに接続する通信ネットワーク接続手段と、
画像を表示可能な画像モニタと、
前記通信ネットワーク接続手段によって前記通信ネットワークに接続したときこれから取得される閲覧対象情報の内容を解析して内容別の閲覧対象情報にグループ化する閲覧対象情報解析手段と、
この閲覧対象情報解析手段により解析した前記閲覧対象情報の少なくとも一部を前記グループにそれぞれ対応付けて前記画像モニタに表示する解析結果表示手段と、
この解析結果表示手段によって前記画像モニタに表示される閲覧対象情報から所望の１つのグループに対応するものを指定する閲覧対象情報指定手段と、
この閲覧対象情報指定手段によって指定された閲覧対象情報が前記通信ネットワークの他の場所の閲覧対象情報にリンクする情報であるか否かを判別するリンク有無判別手段と、
このリンク有無判別手段によって前記通信ネットワークの他の場所の閲覧対象情報にリンクする情報ではないと判別されたときに、前記解析結果表示手段に対してその閲覧対象情報に対応付けられたグループに切り替えて閲覧対象情報を前記画像モニタに表示することを指示する指定結果表示手段と、
前記リンク有無判別手段によって前記通信ネットワークの他の場所の閲覧対象情報にリンクする情報であると判別されたときに、前記通信ネットワークからそのリンクした閲覧対象情報を取得して前記閲覧対象情報解析手段に解析させるリンク先閲覧対象情報取得手段
とを具備することを特徴とする情報閲覧システム。
【請求項４】
通信ネットワークに接続する通信ネットワーク接続手段と、
画像を表示可能な画像モニタと、
前記通信ネットワーク接続手段によって前記通信ネットワークに接続したときこれから取得される閲覧対象情報の内容を解析して内容別に階層化されたグループにグループ化する閲覧対象情報解析手段と、
この閲覧対象情報解析手段により解析した前記閲覧対象情報のうち階層化されたグループの上位から少なくとも一部を前記グループのそれぞれに対応付けて前記画像モニタに表示する解析結果表示手段と、
この解析結果表示手段によって前記画像モニタに表示される閲覧対象情報から所望の１つのグループに対応するものを指定する閲覧対象情報指定手段と、
この閲覧対象情報指定手段によって指定された閲覧対象情報が前記通信ネットワークの他の場所の閲覧対象情報にリンクする情報であるか否かを判別するリンク有無判別手段と、
前記閲覧対象情報指定手段の指定によるリンク有無判別手段の判別によって閲覧対象情報が前記通信ネットワークの他の場所の閲覧対象情報にリンクする情報ではないと判別されるたびに、前記解析結果表示手段に対してこれによって指定されたグループを最上位とするこれよりも下位のグループの閲覧対象情報に切り替えて閲覧対象情報を前記画像モニタに表示することを指示する指定結果表示手段と、
前記閲覧対象情報指定手段の指定によるリンク有無判別手段の判別によって前記通信ネットワークの他の場所の閲覧対象情報にリンクする情報であると判別されるたびに、前記通信ネットワークからそのリンクした閲覧対象情報を取得して前記閲覧対象情報解析手段に解析させるリンク先閲覧対象情報取得手段
とを具備することを特徴とする情報閲覧システム。
【請求項５】
前記通信ネットワーク接続手段はテレビジョン放送の受信も可能とするセットトップボックスに収容されており、前記画像モニタはテレビジョン番組と前記通信ネットワークによるウェブページを選択的に表示する手段であることを特徴とする請求項１〜請求項４いずれかに記載の情報閲覧システム。
【請求項６】
前記解析結果表示手段は、一度に表示するグループの閲覧対象情報が前記画像モニタの１画面の大きさとなるように拡縮する画像拡縮手段を具備することを特徴とする請求項１〜請求項４いずれかに記載の情報閲覧システム。
【請求項７】
前記解析結果表示手段は、一度に表示するグループの閲覧対象情報が前記画像モニタの１画面の大きさとなるように前記グループを選択するグループ選択手段を具備することを特徴とする請求項１〜請求項４いずれかに記載の情報閲覧システム。
【請求項８】
前記閲覧対象情報指定手段は前記セットトップボックスと有線で接続されたリモートコントローラであることを特徴とする請求項５記載の情報閲覧システム。
【請求項９】
前記閲覧対象情報指定手段は前記セットトップボックスと無線で接続されたリモートコントローラであることを特徴とする請求項５記載の情報閲覧システム。
【請求項１０】
前記通信ネットワークはインターネットであることを特徴とする請求項１〜請求項４いずれかに記載の情報閲覧システム。
【請求項１１】
前記閲覧対象情報指定手段が閲覧対象情報を指定したとき、これに対応付けられたグループの閲覧対象情報のテキスト情報を取得するテキスト情報取得手段と、
このテキスト情報取得手段によって取得されたテキスト情報を音声情報に変換して出力する音声情報出力手段
とを具備することを特徴とする請求項１〜請求項４いずれかに記載の情報閲覧システム。
【請求項１２】
前記解析結果表示手段は、前記閲覧対象情報のサイズを拡大して前記画像モニタに表示させる手段であることを特徴とする請求項１〜請求項４いずれかに記載の情報閲覧システム。
【請求項１３】
前記閲覧対象情報解析手段は、それぞれの閲覧対象情報が同じウェブページを構成する他のいずれの閲覧対象情報に従属しているかを判別してその判別結果を基に他のいずれの閲覧対象情報にも従属していないと判別した閲覧対象情報および同じ閲覧対象情報に直接に従属している閲覧対象情報をそれぞれグループ化する手段であり、
前記解析結果表示手段は、この閲覧対象情報解析手段が生成した他のいずれの閲覧対象情報にも従属していないグループを初期画面として前記画像モニタに表示する手段であることを特徴とする請求項２または請求項４記載の情報閲覧システム。
【請求項１４】
１つ上の階層に表示を戻す決定を受け付ける階層復帰受付手段を更に具備し、
前記指定結果表示手段は、この階層復帰受付手段が前記決定を受け付けたとき、前記画像モニタに表示されているグループが従属するグループの閲覧対象情報に切り替えて閲覧対象情報を前記画像モニタに表示する手段であることを特徴とする請求項１３記載の情報閲覧システム。
【請求項１５】
テレビジョン放送の受信画像を表示可能な画像モニタへのインターネットによるウェブページの表示の開始が指示されると、インターネットに接続して初期画面として設定されたウェブページを取得する初期ページ取得ステップと、
この初期ページ取得ステップで取得したウェブページを構成する閲覧対象情報のそれぞれが同じウェブページを構成する他のいずれの閲覧対象情報に従属しているかを判別して、その判別結果を基に他のいずれの閲覧対象情報にも従属していないと判別した閲覧対象情報および同じ閲覧対象情報に直接に従属している閲覧対象情報をそれぞれグループ化する閲覧対象情報解析ステップと、
この閲覧対象情報解析ステップで他のいずれにも従属していないと解析されたグループの閲覧対象情報をこれに従属するグループにそれぞれ対応付けて前記画像モニタに表示させる解析結果表示ステップと、
前記画像モニタに表示されている閲覧対象情報から所望の１つのグループに対応するものを指定する閲覧対象情報指定ステップと、
この閲覧対象情報指定ステップで指定された閲覧対象情報が前記インターネットの他のウェブページにリンクする情報であるか否かを判別するリンク有無判別ステップと、
このリンク有無判別ステップで前記他のウェブページにリンクする情報ではないと判別されると、その閲覧対象情報に対応付けられたグループに切り替えて閲覧対象情報を前記画像モニタに表示する指定結果表示ステップと、
前記リンク有無判別ステップで前記他のウェブページにリンクする情報であると判別されると、前記インターネットからそのリンクしたウェブページを取得して前記閲覧対象情報解析ステップに解析させるリンク先ウェブページ取得ステップ
とを具備することを特徴とする情報閲覧方式。
【請求項１６】
情報処理装置を構成するコンピュータに、
テレビジョン放送の受信画像を表示可能な画像モニタへのインターネットによるウェブページの表示の開始が指示されると、インターネットに接続して初期画面として設定されたウェブページを取得する初期ページ取得処理と、
この初期ページ取得処理で取得したウェブページを構成する閲覧対象情報のそれぞれが同じウェブページを構成する他のいずれの閲覧対象情報に従属しているかを判別して、その判別結果を基に他のいずれの閲覧対象情報にも従属していないと判別した閲覧対象情報および同じ閲覧対象情報に直接に従属している閲覧対象情報をそれぞれグループ化する閲覧対象情報解析処理と、
この閲覧対象情報解析処理で他のいずれにも従属していないと解析されたグループの閲覧対象情報をこれに従属するグループにそれぞれ対応付けて前記画像モニタに表示させる解析結果表示処理と、
前記画像モニタに表示されている閲覧対象情報から所望の１つのグループに対応するものを指定する閲覧対象情報指定処理と、
この閲覧対象情報指定処理で指定された閲覧対象情報が前記インターネットの他のウェブページにリンクする情報であるか否かを判別するリンク有無判別処理と、
このリンク有無判別処理で前記他のウェブページにリンクする情報ではないと判別されると、その閲覧対象情報に対応付けられたグループに切り替えて閲覧対象情報を前記画像モニタに表示する指定結果表示処理と、
前記リンク有無判別処理で前記他のウェブページにリンクする情報であると判別されると、前記インターネットからそのリンクしたウェブページを取得して前記閲覧対象情報解析処理に解析させるリンク先ウェブページ取得処理
とを実行させることを特徴とする情報閲覧プログラム。
【発明の詳細な説明】
【技術分野】
【０００１】
本発明は、ウェブページ等の閲覧対象情報を閲覧するための情報閲覧システム、情報閲覧方式および情報閲覧プログラムに係わり、特に高齢者や子供でも閲覧を楽しめるように配慮した情報閲覧システム、情報閲覧方式および情報閲覧プログラムに関する。
【背景技術】
【０００２】
インターネットでは、各種サービスの提供を行う多数のウェブサイトが存在している。たとえばインターネットを利用する際の入り口としてのポータルサイトや、各種サービスのウェブページ情報を表わしたウェブサイトが代表的なものである。このようなウェブサイトを利用するために、従来では通信機能を持ったパーソナルコンピュータ等の情報処理装置をインターネットに接続し、ポインティングデバイスとしてのマウスやキーボード等の入出力機器を駆使することで所望の情報を閲覧するようになっていた。
【０００３】
図２１は、このような従来より一般的に行われていたウェブページを閲覧するための情報閲覧システムの構成を表わしたものである。この情報閲覧システム１００では、インターネット１０２にイーサネット（登録商標）等のネットワーク回線を経由して情報処理装置であるパーソナルコンピュータ１０３が接続されている。パーソナルコンピュータ１０３には、画像を表示するためのモニタ１０４と、情報を入力するためのキーボード１０５と、ポインタを操作するためのマウス１０６が接続されている。パーソナルコンピュータ１０３にはウェブサイトを閲覧するためのウェブブラウザと呼ばれるソフトウェアが用意されており、インターネットに接続したときにモニタ１０４にポータルサイトの画面を初期画面として表示するようになっている。ユーザは、このポータルサイトの画面が表示された状態で、マウス等の入力装置を用いて、あらかじめそのウェブページ上に配置されている任意のリンク先にポインタを当ててクリックする。すると、そのリンク先のウェブページがモニタ１０４に新たに表示される。このようにしてウェブページを順次開いていくことを繰り返すことで、いわゆるネットサーフィンを楽しむことができる。
【０００４】
以上の操作で所望のウェブページを表示する代わりに、ユーザはモニタ１０４に表示されるウェブブラウザのアドレス入力欄にキーボード等の入力装置を使用して、既知のＵＲＬ（Uniform Resource Locator）を入力することもできる。これにより、そのＵＲＬのウェブページをモニタ１０４に直接表示することができる。この後は、そのウェブページに表示されているリンクを辿ることで、順次ウェブページを開いていって、同様にネットサーフィンを楽しむことができる。
【０００５】
しかしなから、この図２１に示した情報閲覧システムでは、ウェブページの閲覧専用のモニタ１０４を必要とする。したがって、ユーザが自宅にテレビジョン番組を視聴するためのテレビジョンモニタ（以下、ＴＶモニタと略称する。）を備えていたとしても、その他にインターネット閲覧用のモニタ１０４を必要とし、更にこれに接続するパーソナルコンピュータ１０３を必要とすることになる。ユーザはテレビジョンの視聴とインターネットの閲覧を択一的に選択して行うのが通常であり、１つの部屋にテレビジョンの視聴設備とインターネットの閲覧設備を共に備えることは配置スペース上で無駄となる。
【０００６】
そこで、テレビジョンとその視聴に用いるセットトップボックス（ＳＴＢ）とを用いてウェブページを閲覧する技術が提案されている（たとえば特許文献１参照）。この提案では、セットトップボックスの操作に使用するリモートコントローラ（Remote Controller）を使用して、ＴＶモニタにウェブページを表示させると共に、テレビジョン番組を視聴するときとウェブページを閲覧するときのリモートコントローラの操作の共通化を図っている。
【０００７】
図２２は、この提案の情報閲覧システムの概要を表わしたものである。この情報閲覧システム１２０は、アンテナ線１２１とネットワークケーブル１２２を接続したセットトップボックス１２３を備えており、ＡＶ（Audio Video）ケーブル１２４に接続されたＴＶモニタ１２５でテレビジョン番組の視聴とウェブページの閲覧を行うことができるようになっている。セットトップボックス１２３にはリモートコントローラ１２６が付属している。セットトップボックス１２３には、アンテナ線１２１に接続されたチューナ１３１と、ネットワークケーブル１２２に接続され、インターネットに接続するためのネットワーク装置１３２が配置されている。チューナ１３１によって選択されたテレビジョン番組は番組データ蓄積装置１３３に直接入力されるようになっている。ネットワーク装置１３２から出力される情報の方は、ウェブ番組表示装置１３４によってＴＶモニタ１２５で表示可能な信号形式に変換された後に、番組データ蓄積装置１３３に入力されるようになっている。番組データ蓄積装置１３３に蓄積された番組のデータは、ＡＶケーブル１２４が接続されたビデオ出力装置１３５からＴＶモニタ１２５へと送られる。
【０００８】
このような情報閲覧システム１２０では、設定可能なチャネルを、予め各ウェブ番組及びテレビ番組に割り当てておく。ユーザは、閲覧したいニュース等のＵＲＬ（Uniform Resource Locator）をそれぞれ事前に各チャネルに１つずつ割り当てておく。そして、ウェブ番組を見るときには、テレビジョン番組のチャネルを選択するのと同様にチャネルを選択することであらかじめプリセットされたウェブページを閲覧することができる。したがって、この閲覧操作は、テレビジョン番組の選択を行うリモートコントローラ１２６によって簡単に行うことができる。
【特許文献１】特開２０００−２３１５２８号公報（第００１３〜第００２０段落、図１、図２）
【発明の開示】
【発明が解決しようとする課題】
【０００９】
この提案の情報閲覧システムでは、リモートコントローラ１２６でチャネルの操作を行うことにより、各チャネルに割り当てられたウェブページをそれぞれ個別の番組であるかのように閲覧することができる。したがって、インターネットやパーソナルコンピュータに不慣れな高齢者や子供等のいわゆるＩＴ（Information Technology）弱者であっても、気軽にインターネットを楽しむことができる。
【００１０】
しかしながら、この提案では、リモートコントローラ１２６のチャネル操作でウェブ番組を見るようにしているため、あらかじめ各チャネルに対応させてＵＲＬを登録しておく必要がある。したがって、一度、チャネルとＵＲＬの関係を登録してしまえばこれらのウェブ番組をブックマークしたウェブページを表示するように簡単に表示することができるものの、チャネルとＵＲＬの関係の登録自体は簡略化される訳ではない。しかも特定のキー配置となっているリモートコントローラ１２６でＵＲＬを指定して登録する処理はパーソナルコンピュータに熟達した者であっても面倒な作業になる。
【００１１】
また、この提案ではウェブ番組をチャネルに対応させているので、チャネルの数で閲覧するウェブ番組の数が制限されてしまう。インターネット上には多くのウェブサイトが存在するだけでなく、その構成が日々変化している。しかも、テレビジョン番組のように固定された幾つかのチャネルにコンテンツが日々盛り込まれていくものであれば、チャネルを単純に選択するだけで多くの情報を得ることができるが、インターネットの場合にはニュースを報じるウェブサイト等の一部の例外を除けばコンテンツが日々大きく変化する可能性は少ない。むしろ、ユーザがネットサーフィンによって新たなウェブサイトを次々と見つけていくことで必要な情報を取得する能動的な側面が強い。このようなインターネットの特殊性を考慮すると、リモートコントローラ１２６のチャネル操作でウェブ番組を選択することに一定の効果はあるとしても、むしろポータルサイトあるいは初期的に表示されたウェブページから所望のウェブページにリンクを辿る処理がＩＴ弱者であっても負担なく行えることの必要性の方が大きいと言える。
【００１２】
以上、インターネットにおけるウェブページの閲覧について説明したが、一般にインターネットに限定されない通信ネットワークから閲覧対象情報を閲覧する際に同様の問題がある。
【００１３】
そこで本発明の目的は、より幅広いユーザ層が快適にウェブページ等の閲覧対象情報を閲覧できるように配慮した情報閲覧システム、情報閲覧方式および情報閲覧プログラムを提供することにある。
【課題を解決するための手段】
【００１４】
本発明では、（イ）通信ネットワークに接続する通信ネットワーク接続手段と、（ロ）画像を表示可能な画像モニタと、（ハ）通信ネットワーク接続手段によって通信ネットワークに接続したときこれから取得される閲覧対象情報の内容を解析して内容別の閲覧対象情報にグループ化する閲覧対象情報解析手段と、（ニ）この閲覧対象情報解析手段により解析した閲覧対象情報の少なくとも一部を前記したグループにそれぞれ対応付けて画像モニタに表示する解析結果表示手段と、（ホ）この解析結果表示手段によって画像モニタに表示される閲覧対象情報から所望の１つのグループに対応するものを指定する閲覧対象情報指定手段と、（ヘ）解析結果表示手段に対して、この閲覧対象情報指定手段によって指定された閲覧対象情報に対応付けられたグループの閲覧対象情報に切り替えて閲覧対象情報を画像モニタに表示することを指示する指定結果表示手段とを情報閲覧システムに具備させる。
【００１５】
すなわち本発明では、情報閲覧システムは、通信ネットワークに接続する通信ネットワーク接続手段と、画像を表示可能な画像モニタを備えている。そして、通信ネットワークから取得される閲覧対象情報の内容を解析して内容別の閲覧対象情報にグループ化し、その閲覧対象情報の少なくとも一部をグループにそれぞれ対応付けて画像モニタに表示するとともに、表示された所望の１つのグループに対応するものを指定できるようになっている。そして、指定された閲覧対象情報に対応付けられたグループの閲覧対象情報に切り替えて、その閲覧対象情報を次の画面として画像モニタに表示するようになっている。すなわち、従来であれば１つの画面に一挙に表示される閲覧対象情報を、グループ化してグループ単位で表示させるため、画面上に一度に表示される閲覧対象情報の数を減らすことができる。また、表示されている閲覧対象情報のいずれかを指定することでこれに対応付けられた他のグループに表示が切り替わるため、各グループ、すなわち通信ネットワークから取得した各閲覧対象情報の閲覧を行うことができる。したがって、高齢者や子供といったＩＴ弱者に対する視認性や操作性を向上させることが可能となり、より幅広いユーザ層に快適なウェブページ等の閲覧対象情報の閲覧環境を提供することができる。
【００１６】
本発明では、（イ）通信ネットワークに接続する通信ネットワーク接続手段と、（ロ）画像を表示可能な画像モニタと、（ハ）通信ネットワーク接続手段によって通信ネットワークに接続したときこれから取得される閲覧対象情報の内容を解析して内容別に階層化されたグループにグループ化する閲覧対象情報解析手段と、（ニ）この閲覧対象情報解析手段により解析した閲覧対象情報のうち階層化されたグループの上位から少なくとも一部を前記したグループのそれぞれに対応付けて画像モニタに表示する解析結果表示手段と、（ホ）この解析結果表示手段によって画像モニタに表示される閲覧対象情報から所望の１つのグループに対応するものを指定する閲覧対象情報指定手段と、（ヘ）解析結果表示手段に対して、この閲覧対象情報指定手段の指定があるたびに、これによって指定された閲覧対象情報に対応付けられたグループを最上位とするこれよりも下位のグループの閲覧対象情報に切り替えて閲覧対象情報を画像モニタに表示することを指示する指定結果表示手段とを情報閲覧システムに具備させる。
【００１７】
すなわち本発明では、通信ネットワークに接続する通信ネットワーク接続手段と、画像を表示可能な画像モニタを備えている。そして、通信ネットワークから取得される閲覧対象情報の内容を解析して内容別に階層化されたグループにグループ化し、その閲覧対象情報のうち階層化されたグループの上位から少なくとも一部をグループにそれぞれ対応付けて画像モニタに表示するとともに、表示された所望の１つのグループに対応するものを指定できるようになっている。そして、指定があるたびにその指定された閲覧対象情報に対応付けられたグループを最上位とするこれよりも下位のグループの閲覧対象情報に切り替えて、その閲覧対象情報を画像モニタに表示するようになっている。すなわち、従来であれば１つの画面に一挙に表示される閲覧対象情報を、グループ化してグループ単位で表示させるため、画面上に一度に表示される閲覧対象情報の数を減らすことができる。また、各グループは階層化されており、表示されている閲覧対象情報のいずれかを指定するたびに上位から下位へと表示を切り替えていけるようになっているため、各グループ、すなわち通信ネットワークから取得した各閲覧対象情報の閲覧を効率良く行うことができる。したがって、高齢者や子供といったＩＴ弱者に対する視認性や操作性を向上させることが可能となり、より幅広いユーザ層に快適なウェブページ等の閲覧対象情報の閲覧環境を提供することができる。
【００１８】
本発明では、（イ）通信ネットワークに接続する通信ネットワーク接続手段と、（ロ）画像を表示可能な画像モニタと、（ハ）通信ネットワーク接続手段によって通信ネットワークに接続したときこれから取得される閲覧対象情報の内容を解析して内容別の閲覧対象情報にグループ化する閲覧対象情報解析手段と、（ニ）この閲覧対象情報解析手段により解析した閲覧対象情報の少なくとも一部を前記したグループにそれぞれ対応付けて画像モニタに表示する解析結果表示手段と、（ホ）この解析結果表示手段によって画像モニタに表示される閲覧対象情報から所望の１つのグループに対応するものを指定する閲覧対象情報指定手段と、（ヘ）この閲覧対象情報指定手段によって指定された閲覧対象情報が通信ネットワークの他の場所の閲覧対象情報にリンクする情報であるか否かを判別するリンク有無判別手段と、（ト）このリンク有無判別手段によって通信ネットワークの他の場所の閲覧対象情報にリンクする情報ではないと判別されたときに、解析結果表示手段に対してその閲覧対象情報に対応付けられたグループに切り替えて閲覧対象情報を画像モニタに表示することを指示する指定結果表示手段と、（チ）リンク有無判別手段によって通信ネットワークの他の場所の閲覧対象情報にリンクする情報であると判別されたときに、通信ネットワークからそのリンクした閲覧対象情報を取得して閲覧対象情報解析手段に解析させるリンク先閲覧対象情報取得手段とを情報閲覧システムに具備させる。
【００１９】
すなわち本発明では、通信ネットワークに接続する通信ネットワーク接続手段と、画像を表示可能な画像モニタを備えている。そして、通信ネットワークから取得される閲覧対象情報の内容を解析して内容別の閲覧対象情報にグループ化し、その閲覧対象情報の少なくとも一部をグループにそれぞれ対応付けて画像モニタに表示するとともに、表示された所望の１つのグループに対応するものを指定できるようになっている。そして、指定された閲覧対象情報が通信ネットワークの他の場所の閲覧対象情報にリンクする情報であるか否かを判別し、リンクする情報ではない場合には、その指定された閲覧対象情報に対応付けられたグループの閲覧対象情報に切り替えて、その閲覧対象情報を次の画面として画像モニタに表示するようになっている。一方、リンクする情報である場合には、通信ネットワークからそのリンクした閲覧対象情報を取得するようになっている。すなわち、従来であれば１つの画面に一挙に表示される閲覧対象情報を、グループ化してグループ単位で表示させるため、画面上に一度に表示される閲覧対象情報の数を減らすことができる。また、表示されている閲覧対象情報のいずれかを指定することでこれに対応付けられた他のグループに表示が切り替わるため、各グループ、すなわち通信ネットワークから取得した各閲覧対象情報の閲覧を行うことができる。更に、指定された閲覧対象情報がハイパーリンク等のリンクであれば、その閲覧対象情報を取得するようになっているため、次々と新たな場所の閲覧対象情報を取得してこれを閲覧でき、たとえばネットワークサーフィンを楽しむといったことが可能となる。したがって、高齢者や子供といったＩＴ弱者に対する視認性や操作性を向上させることが可能となり、より幅広いユーザ層に快適なウェブページ等の閲覧対象情報の閲覧環境を提供することができる。
【００２０】
本発明では、（イ）通信ネットワークに接続する通信ネットワーク接続手段と、（ロ）画像を表示可能な画像モニタと、（ハ）通信ネットワーク接続手段によって通信ネットワークに接続したときこれから取得される閲覧対象情報の内容を解析して内容別に階層化されたグループにグループ化する閲覧対象情報解析手段と、（ニ）この閲覧対象情報解析手段により解析した閲覧対象情報のうち階層化されたグループの上位から少なくとも一部を前記したグループのそれぞれに対応付けて画像モニタに表示する解析結果表示手段と、（ホ）この解析結果表示手段によって画像モニタに表示される閲覧対象情報から所望の１つのグループに対応するものを指定する閲覧対象情報指定手段と、（ヘ）この閲覧対象情報指定手段によって指定された閲覧対象情報が通信ネットワークの他の場所の閲覧対象情報にリンクする情報であるか否かを判別するリンク有無判別手段と、（ト）閲覧対象情報指定手段の指定によるリンク有無判別手段の判別によって閲覧対象情報が通信ネットワークの他の場所の閲覧対象情報にリンクする情報ではないと判別されるたびに、解析結果表示手段に対してこれによって指定されたグループを最上位とするこれよりも下位のグループの閲覧対象情報に切り替えて閲覧対象情報を画像モニタに表示することを指示する指定結果表示手段と、（チ）閲覧対象情報指定手段の指定によるリンク有無判別手段の判別によって通信ネットワークの他の場所の閲覧対象情報にリンクする情報であると判別されるたびに、通信ネットワークからそのリンクした閲覧対象情報を取得して閲覧対象情報解析手段に解析させるリンク先閲覧対象情報取得手段とを情報閲覧システムに具備させる。
【００２１】
すなわち本発明では、通信ネットワークに接続する通信ネットワーク接続手段と、画像を表示可能な画像モニタを備えている。そして、通信ネットワークから取得される閲覧対象情報の内容を解析して内容別に階層化されたグループにグループ化し、その閲覧対象情報のうち階層化されたグループの上位から少なくとも一部をグループにそれぞれ対応付けて画像モニタに表示するとともに、表示された所望の１つのグループに対応するものを指定できるようになっている。そして、指定された閲覧対象情報が通信ネットワークの他の場所の閲覧対象情報にリンクする情報であるか否かを判別し、リンクする情報ではないと判別されるたびに、その指定された閲覧対象情報に対応付けられたグループを最上位とするこれよりも下位のグループの閲覧対象情報に切り替えて、その閲覧対象情報を画像モニタに表示するようになっている。一方、リンクする情報であると判別されるたびに、通信ネットワークからそのリンクした閲覧対象情報を取得するようになっている。すなわち、従来であれば１つの画面に一挙に表示される閲覧対象情報を、グループ化してグループ単位で表示させるため、画面上に一度に表示される閲覧対象情報の数を減らすことができる。また、各グループは階層化されており、表示されている閲覧対象情報のいずれかを指定するたびに上位から下位へと表示を切り替えていけるようになっているため、各グループ、すなわち通信ネットワークから取得した各閲覧対象情報の閲覧を効率良く行うことができる。更に、指定された閲覧対象情報がハイパーリンク等のリンクであれば、その閲覧対象情報を取得するようになっているため、次々と新たな場所の閲覧対象情報を取得してこれを閲覧でき、たとえばネットワークサーフィンを楽しむといったことが可能となる。したがって、高齢者や子供といったＩＴ弱者に対する視認性や操作性を向上させることが可能となり、より幅広いユーザ層に快適なウェブページ等の閲覧対象情報の閲覧環境を提供することができる。
【００２２】
また、本発明では、（イ）テレビジョン放送の受信画像を表示可能な画像モニタへのインターネットによるウェブページの表示の開始が指示されると、インターネットに接続して初期画面として設定されたウェブページを取得する初期ページ取得ステップと、（ロ）この初期ページ取得ステップで取得したウェブページを構成する閲覧対象情報のそれぞれが同じウェブページを構成する他のいずれの閲覧対象情報に従属しているかを判別して、その判別結果を基に他のいずれの閲覧対象情報にも従属していないと判別した閲覧対象情報および同じ閲覧対象情報に直接に従属している閲覧対象情報をそれぞれグループ化する閲覧対象情報解析ステップと、（ハ）この閲覧対象情報解析ステップで他のいずれにも従属していないと解析されたグループの閲覧対象情報をこれに従属するグループにそれぞれ対応付けて画像モニタに表示させる解析結果表示ステップと、（ニ）画像モニタに表示されている閲覧対象情報から所望の１つのグループに対応するものを指定する閲覧対象情報指定ステップと、（ホ）この閲覧対象情報指定ステップで指定された閲覧対象情報がインターネットの他のウェブページにリンクする情報であるか否かを判別するリンク有無判別ステップと、（ヘ）このリンク有無判別ステップで他のウェブページにリンクする情報ではないと判別されると、その閲覧対象情報に対応付けられたグループに切り替えて閲覧対象情報を画像モニタに表示する指定結果表示ステップと、（ト）リンク有無判別ステップで他のウェブページにリンクする情報であると判別されると、インターネットからそのリンクしたウェブページを取得して閲覧対象情報解析ステップに解析させるリンク先ウェブページ取得ステップとを情報閲覧方式に具備させる。
【００２３】
すなわち本発明では、テレビジョン放送の受信画像を表示可能な画像モニタへのインターネットによるウェブページの表示の開始が指示されると、インターネットに接続して初期画面として設定されたウェブページを取得する。そして、ウェブページを構成する閲覧対象情報のそれぞれが同じウェブページを構成する他のいずれの閲覧対象情報に従属しているかを判別し、他のいずれの閲覧対象情報にも従属していないと判別した閲覧対象情報と、同じ閲覧対象情報に直接に従属している閲覧対象情報とを、それぞれグループ化する。いずれかのグループの閲覧対象情報を画像モニタに表示させるが、初期状態ではいずれにも従属していないと判別されたグループの閲覧対象情報を表示させるとともに、表示されているものの中から所望の１つのグループに対応するものが指定されたときにはその閲覧対象情報に対応付けられたグループに切り替えて閲覧対象情報を表示させるようになっている。ただし、指定された閲覧対象情報がインターネットの他のウェブページにリンクする情報である場合には、インターネットからそのリンクしたウェブページを取得し、新たに解析を行って表示されるようになっている。すなわち、通常のＴＶモニタを使用してその表示を切り替え、インターネット上で公開されているウェブページの閲覧を行うことができる。また、従来であれば１つの画面に一挙に表示されるウェブページの閲覧対象情報を、グループ化してグループ単位で表示させるため、画面上に一度に表示される閲覧対象情報の数を減らすことができる。また、各グループはその従属関係に基づいて階層化されており、表示されている閲覧対象情報のいずれかを指定するたびにこれに従属する次のグループへと表示を切り替えていけるようになっているため、各グループ、すなわちインターネットから取得した各閲覧対象情報の閲覧を効率良く行うことができる。更に、指定された閲覧対象情報がハイパーリンク等のリンクであれば、その閲覧対象情報を取得するようになっているため、次々と新たなウェブページを閲覧でき、ネットワークサーフィンを楽しむといったことが可能となる。しかも、このようなウェブページの閲覧を、従来のＴＶモニタを使用してテレビジョン番組を視聴する感覚で楽しむことができる。したがって、高齢者や子供といったＩＴ弱者に対する視認性や操作性を向上させることが可能となり、より幅広いユーザ層に快適なウェブページ閲覧環境を提供することができる。
【００２４】
更に、本発明では、情報処理装置を構成するコンピュータに、（イ）テレビジョン放送の受信画像を表示可能な画像モニタへのインターネットによるウェブページの表示の開始が指示されると、インターネットに接続して初期画面として設定されたウェブページを取得する初期ページ取得処理と、（ロ）この初期ページ取得処理で取得したウェブページを構成する閲覧対象情報のそれぞれが同じウェブページを構成する他のいずれの閲覧対象情報に従属しているかを判別して、その判別結果を基に他のいずれの閲覧対象情報にも従属していないと判別した閲覧対象情報および同じ閲覧対象情報に直接に従属している閲覧対象情報をそれぞれグループ化する閲覧対象情報解析処理と、（ハ）この閲覧対象情報解析処理で他のいずれにも従属していないと解析されたグループの閲覧対象情報をこれに従属するグループにそれぞれ対応付けて画像モニタに表示させる解析結果表示処理と、（ニ）画像モニタに表示されている閲覧対象情報から所望の１つのグループに対応するものを指定する閲覧対象情報指定処理と、（ホ）この閲覧対象情報指定処理で指定された閲覧対象情報がインターネットの他のウェブページにリンクする情報であるか否かを判別するリンク有無判別処理と、（ヘ）このリンク有無判別処理で他のウェブページにリンクする情報ではないと判別されると、その閲覧対象情報に対応付けられたグループに切り替えて閲覧対象情報を画像モニタに表示する指定結果表示処理と、（ト）リンク有無判別処理で他のウェブページにリンクする情報であると判別されると、インターネットからそのリンクしたウェブページを取得して閲覧対象情報解析処理に解析させるリンク先ウェブページ取得処理とを情報閲覧プログラムにより実行させる。
【００２５】
すなわち本発明では、情報閲覧プログラムは、テレビジョン放送の受信画像を表示可能な画像モニタへのインターネットによるウェブページの表示の開始が指示されると、インターネットに接続して初期画面として設定されたウェブページを取得する。そして、ウェブページを構成する閲覧対象情報のそれぞれが同じウェブページを構成する他のいずれの閲覧対象情報に従属しているかを判別し、他のいずれの閲覧対象情報にも従属していないと判別した閲覧対象情報と、同じ閲覧対象情報に直接に従属している閲覧対象情報とを、それぞれグループ化する。いずれかのグループの閲覧対象情報を画像モニタに表示させるが、初期状態ではいずれにも従属していないと判別されたグループの閲覧対象情報を表示させるとともに、表示されているものの中から所望の１つのグループに対応するものが指定されたときにはその閲覧対象情報に対応付けられたグループに切り替えて閲覧対象情報を表示させるようになっている。ただし、指定された閲覧対象情報がインターネットの他のウェブページにリンクする情報である場合には、インターネットからそのリンクしたウェブページを取得し、新たに解析を行って表示されるようになっている。すなわち、通常のＴＶモニタを使用してその表示を切り替え、インターネット上で公開されているウェブページの閲覧を行うことができる。また、従来であれば１つの画面に一挙に表示されるウェブページの閲覧対象情報を、グループ化してグループ単位で表示させるため、画面上に一度に表示される閲覧対象情報の数を減らすことができる。また、各グループはその従属関係に基づいて階層化されており、表示されている閲覧対象情報のいずれかを指定するたびにこれに従属する次のグループへと表示を切り替えていけるようになっているため、各グループ、すなわちインターネットから取得した各閲覧対象情報の閲覧を効率良く行うことができる。更に、指定された閲覧対象情報がハイパーリンク等のリンクであれば、その閲覧対象情報を取得するようになっているため、次々と新たなウェブページを閲覧でき、ネットワークサーフィンを楽しむといったことが可能となる。しかも、このようなウェブページの閲覧を、従来のＴＶモニタを使用してテレビジョン番組を視聴する感覚で楽しむことができる。したがって、高齢者や子供といったＩＴ弱者に対する視認性や操作性を向上させることが可能となり、より幅広いユーザ層に快適なウェブページ閲覧環境を提供することができる。また、このようなプログラムをインストールすることで、汎用あるいは既存のセットトップボックスや情報処理装置でもこれらの処理を簡単に実現させることができる。
【発明の効果】
【００２６】
以上説明したように本発明によれば、画像モニタに通信ネットワークから取得される閲覧対象情報をグループ化してグループ単位で表示させるとともに、表示されている閲覧対象情報のうちいずれかのグループに対応付けられたものが指定されるとこれに対応付けられたグループの表示に切り替えるようになっている。これにより、画面上に一度に表示される閲覧対象情報の数を減らすことができるとともに、各グループへの表示切替を簡単に行うことができる。したがって、高齢者や子供といったＩＴ弱者に対する視認性や操作性を向上させることが可能となり、より幅広いユーザ層に快適なウェブページ等の閲覧対象情報の閲覧環境を提供することができる。
【発明を実施するための最良の形態】
【００２７】
以下実施例につき本発明を詳細に説明する。
【実施例１】
【００２８】
図１は、本発明の一実施例による情報閲覧システムの構成を表わしたものである。この情報閲覧システム２００では、インターネット２０１と家庭に設置されたＴＶモニタ（Television）２０２が配置されており、これらの間にＴＶモニタ２０２でテレビジョン放送以外の各種サービスの利用を実現するためのセットトップボックス（Set-Top Box : STB）２０３が配置されている。このセットトップボックス２０３はインターネット２０１上のウェブサイトをこのＴＶモニタ２０２で閲覧可能にするものであり、遠隔操作のためのリモートコントローラ２０４が付属されている。ＴＶモニタ２０２はＣＲＴ（CathodeRay Tube ）であり、テレビジョン放送の受信画像等の画像を表示するためのブラウン管２１１と音声を出力するための一対のスピーカ２１２を備えている。リモートコントローラ２０４には、ユーザがセットトップボックス２０３を操作するためのキースイッチ部２１３と、このキースイッチ部２１３で入力された情報を赤外光を使用してセットトップボックス２０３へ送信するための入力情報送信部２１４を備えている。
【００２９】
セットトップボックス２０３は、イーサネット（登録商標）ケーブルであるネットワークケーブル２０５を介してインターネット２０１に接続されている。また、図示しないケーブルテレビ事業者のネットワークに接続してテレビジョン放送を閲覧するためのＣＡＴＶ（CAble TeleVision）配信ケーブル２０６が接続されている。また、セットトップボックス２０３は、画像データと音声データを伝送するためのＡＶケーブル２０７を介してＴＶモニタ２０２と接続されている。なお、リモートコントローラ２０４はＴＶモニタ２０２の遠隔操作にも使用されるようになっており、ＴＶモニタ２０２の電源のオンオフやチャネル切り替えを操作できるようになっている。
【００３０】
図２は、セットトップボックスの構成を表わしたものである。セットトップボックス２０３には、インターネット２０１に接続して所望のウェブページのＨＴＭＬ（Hyper Text Markup Language）文書を取得するページ取得処理部２２１と、取得したＨＴＭＬ文書を格納するＨＴＭＬ文書格納部２２２を備えている。また、格納されたＨＴＭＬ文書の意味解析を行い、ＨＴＭＬ文書で表示対象となる各要素（以降、表示要素という。）のグループ化や階層設定を行ってレイアウトデータを作成する意味解析処理部２２３を備えている。また、その作成されたレイアウトデータを格納するレイアウトデータ格納部２２４と、格納されたレイアウトデータを基に図１のＴＶモニタ２０２のブラウン管２１１で表示させる画面を作成してこれをＴＶモニタ２０２へ送信する表示画面作成部２２５を備えている。更に、ＴＶモニタ２０２に表示される画面に対応して文字の読み上げをＴＶモニタ２０２のスピーカ２１２を用いて行う文字読上処理部２２６を備えており、表示画面作成部２２５およびレイアウトデータ格納部２２４に接続されている。また、図１に示したリモートコントローラ２０４から送られてくるキースイッチ部２１３による入力情報を受信する入力情報受信部２２７と、受信した入力情報を解析して表示画面作成部２２５やページ取得処理部２２１に各種処理の実行を指示する入力情報解析部２２８を備えている。
【００３１】
表示画面作成部２２５には、表示させる文字や画像のサイズの選択を行うサイズ変更処理部２２９と、各種サイズの文字のフォントを予め格納するフォント格納部２３０が備えられている。文字読上処理部２２６には、各テキストに対応付けてそのテキストに使用すべき音声データを予め格納する音声データ格納部２３１が備えられている。
【００３２】
図３は、図２の各機能部を実現するセットトップボックスの回路構成の概要を表わしたものである。セットトップボックス２０３は、ＣＰＵ（Central Processing Unit：中央演算処理装置）２４１を備えている。ＣＰＵ２４１には、制御プログラムを格納した記憶媒体であるＲＯＭ（Read Only Memory）２４２と、作業用メモリであるＲＡＭ（Random Access Memory）２４３が接続されている。ＣＰＵ２４１には更に、図１に示したインターネット２０１に接続して通信を行うためのネットワーク通信部２４４と、リモートコントローラ２０４からの赤外光を受光して電気信号に変換する受光部２４５が接続されている。また、ネットワークケーブル２０５を介して送られてきたウェブデータに基づいて作成された画像データをＴＶモニタ２０２で出力可能なラスタスキャン形式の画像データに変換する画像データ変換部２４６と、ＡＶケーブル２０７を介してこの変換された画像データをＴＶモニタ２０２へ送信する画像データ送信部２４７が接続されている。更に、ウェブデータに含まれるディジタルデータとしての音声データをアナログデータに変換する音声データ変換部２４８と、ＡＶケーブル２０７を介してこの変換された音声データをＴＶモニタ２０２のスピーカ２１２に送信する音声データ送信部２４９が接続されている。ネットワーク通信部２４４はネットワークケーブル２０５と接続され、イーサネット（登録商標）の規格に準拠した通信を行うようになっている。
【００３３】
セットトップボックス２０３には、ＣＡＴＶ受信制御部２５０も配置されている。ＣＡＴＶ受信制御部２５０はＣＡＴＶ配信ケーブル２０６に一端を接続されており、各種のテレビジョン放送のテレビジョン信号を受信するようになっている。ＣＡＴＶ受信制御部２５０は図示しないが所望のチャネルのテレビジョン放送を選択するためのチャネル選択部を備えており、受光部２４５が図１に示したリモートコントローラ２０４から受光したチャネル選択信号に応じて視聴するチャネルを選択する。選択後のチャネルのテレビジョン信号は必要に応じて解読され、ラスタスキャン形式の画像データとアナログの音声データがこのＣＡＴＶ受信制御部２５０から出力される。このうちの画像データは画像データ送信部２４７に送出され、音声データは音声データ送信部２４９に送出される。本実施例ではＣＡＴＶ受信制御部２５０がＴＶモニタ２０２に直接送信する信号形式で画像データおよび音声データを出力するものとしているが、画像データ変換部２４６や音声データ変換部２４８で画像データあるいは音声データの変換を行うようになっていてもよい。
【００３４】
画像データ送信部２４７と音声データ送信部２４９は、画像データ変換部２４６および音声データ変換部２４８からのデータと、ＣＡＴＶ受信制御部２５０からのデータとを切り替えて出力するようになっている。この切り替えは、図１に示したリモートコントローラ２０４に備えられた図示しない出力切替用のキースイッチの操作によって行えるようになっている。
【００３５】
図２で説明した各機能部は、ＣＰＵ２４１がＲＯＭ２４２に格納された各種プログラムを実行するとともに図３の他の各回路装置を制御することによって実現されるようになっている。以上の構成および回路構成を備えたセットトップボックス２０３を使用してユーザがインターネットに接続して所望のウェブサイトを閲覧する場合に、セットトップボックス２０３の各機能部が実行する処理について次に説明する。
【００３６】
図４は、ページ取得処理部のページ取得処理の流れを表わしたものである。図２に示したページ取得処理部２２１は、図示しない電源スイッチが押下されてセットトップボックス２０３が起動したとき、あるいは出力をテレビジョン放送からウェブページへと切り替えられたときのようにその時点でインターネット２０１に接続されていない場合には（ステップＳ３０１：Ｎ）、予め設定されたアクセスポイントに接続して所定のユーザ情報を送信するなどしてインターネット２０１への接続を試みる（ステップＳ３０２）。インターネット２０１に接続されると（ステップＳ３０３：Ｙ）、予め初期画面として設定されたポータルサイト等のウェブサイトにアクセスしてそのＨＴＭＬ文書を取得し、ＨＴＭＬ文書格納部２２２に格納する（ステップＳ３０４）。初期画面のＨＴＭＬ文書は、セットトップボックス２０３のＲＯＭ２４２あるいはＲＡＭ２４３の不揮発性メモリ領域に予め格納しておきこれを読み出すようにしてもよい。
【００３７】
このＨＴＭＬ文書格納部２２２に格納されたＨＴＭＬ文書を基にして、意味解析処理部２２３および表示画面作成部２２５は後述する各種処理を行い、その結果、ＴＶモニタ２０２のブラウン管２１１には対応する画像が表示される。この画像を見てユーザはリモートコントローラ２０４を操作し、その操作に対応して入力情報受信部２２７が入力情報を受信する。そして、入力情報解析部２２８が後述する入力情報解析処理を行い、その内容が新たなＨＴＭＬ文書の取得を指示するものであった場合には、これをページ取得処理部２２１に指示するようになっている。
【００３８】
図５は、参考のためにここでＨＴＭＬ文書格納部に格納されるＨＴＭＬ文書を従来の手法で解析して表示画面を作成したときにＴＶモニタに表示される画面の様子を表わしたものである。通常、パーソナルコンピュータ用のディスプレイは横１，０２４画素×縦７６８画素といった比較的高い解像度となっており、インターネット２０１上の各ウェブページはこれに合わせて横１，０２４画素×縦７６８画素で構成されていることが多い。これは、ＸＧＡ（eXtended Graphics Array）の画像データのサイズに相当する。あるいは、スクロール操作を想定して縦方向はより長く構成されていることが多い。ここでは、図５に示した内容のＨＴＭＬ文書によるウェブページ３２１が横１，０２４画素×縦７６８画素となっているものとする。ところが、ＴＶモニタ２０２のブラウン管２１１の表示範囲３２２は、一般的な横６４０画素×縦４８０画素となっている。これは、ＶＧＡ（Video Graphics Array）の画像データのサイズに相当する。したがって、同図に示すようにウェブページ３２１は表示範囲３２２からはみ出し、閲覧できない部分が存在している。
【００３９】
ウェブページ３２１には、見出しとして機能する表示要素が複数配置されている。ここで、他のいずれの表示要素にも従属していないものを大見出し、いずれかの大見出しに従属しているものを中見出し、いずれかの中見出しに従属しているものを小見出しと定義する。たとえば、この図５に例示したウェブページ３２１でテキスト「ＡＡＡＡＡ」は大見出しであり、これに従属するテキスト「Ａ１」は中見出しであり、これに従属するテキスト「ａ１１」は小見出しとなっている。また、テキスト「１１１」はハイパーリンクであり、小見出しであるテキスト「ａ１１」に従属している。
【００４０】
図４に戻って説明を続ける。ページ取得処理部２２１は新たなＨＴＭＬ文書の取得の指示があると（ステップＳ３０５：Ｙ）、指示されたウェブサイトにアクセスしてそのＨＴＭＬ文書を取得し、ＨＴＭＬ文書格納部２２２に格納する（ステップＳ３０６）。そして、再びステップＳ３０１へ戻る（リターン）。このようにして、インターネットに接続されている間（ステップＳ３０１：Ｙ）、ページ取得処理部２２１は継続してＨＴＭＬ文書の取得の指示を待機し、指示されると該当するウェブサイトにアクセスしてそのＨＴＭＬ文書を取得する処理を繰り返す。新たなＨＴＭＬ文書の取得の指示が無い場合は（ステップＳ３０５：Ｎ）、そのままステップＳ３０１へ戻る（リターン）。
【００４１】
このようにしてＨＴＭＬ文書格納部２２２には、ポータルサイトやその後にアクセスされたウェブページ等のＨＴＭＬ文書が常に少なくとも１つ格納される。意味解析処理部２２３は、ＨＴＭＬ文書格納部２２２に新たなＨＴＭＬ文書が格納されるのを監視し、格納された最新のＨＴＭＬ文書について意味解析処理を行うようになっている。ＨＴＭＬ文書格納部２２２に格納されるＨＴＭＬ文書は、ユーザの設定によって前に格納されたＨＴＭＬ文書に上書き保存されるようにすることもできるし、格納できるメモリ領域の容量の範囲内で別文書として並存させることもできる。また、ポータルサイトを示すＨＴＭＬ文書のように特別のウェブページを示すＨＴＭＬ文書については、上書きを禁止するように設定することも可能である。
【００４２】
図６は、意味解析処理部の意味解析処理の流れを表わしたものである。意味解析処理部２２３は、ＨＴＭＬ文書格納部２２２にページ取得処理部２２１によって新たなＨＴＭＬ文書が格納されると（ステップＳ３３１：Ｙ）、各表示要素が他のどの表示要素に従属しているかを解析する（ステップＳ３３２）。
【００４３】
たとえば、図５に示した大見出し「ＡＡＡＡＡ」には中見出し「Ａ１」、「Ａ２」および「Ａ３」が従属しているといった従属関係が解析される。そして、他への従属の程度に応じてそれぞれの表示要素を階層化するとともに、表示要素とこれに直接に従属している他の表示要素とをそれぞれグループ化する（ステップＳ３３３）。表示要素の階層化は、具体的にはそれぞれの表示要素に意味的な重要度、すなわちここではウェブページの各表示要素が示す表示の意味内容によるウェブページ全体としての情報の詳細さを表わすパラメータとしてのセマンティックズーム（semantic zoom）値を対応付ける。このようにして各表示要素のグループ化と階層化を行うと、これをレイアウトデータとしてレイアウトデータ格納部２２４に格納し（ステップＳ３３４）、再び新たなＨＴＭＬ文書がＨＴＭＬ文書格納部２２２に格納されるのを待機する（リターン）。
【００４４】
図７は、レイアウトデータ格納部に格納されるＨＴＭＬ文書の解析結果としてのレイアウトデータの一部を表わしたものである。ここでは、意味解析処理部２２３が図５に示したウェブページ３２１のＨＴＭＬ文書を基に作成するレイアウトデータのうち、大見出し「ＡＡＡＡＡ」とこれに従属する各表示要素に関する部分のみを示している。
【００４５】
この図７で他のいずれにも従属していない大見出し「ＡＡＡＡＡ」にはセマンティックズーム値「１」が、セマンティックズーム値「１」の表示要素に従属している中見出し「Ａ１」、「Ａ２」、「Ａ３」にはセマンティックズーム値「２」が対応付けられている。同様にして、セマンティックズーム値「２」の表示要素に従属している各小見出しにはセマンティックズーム値「３」が、セマンティックズーム値「３」の表示要素に従属している各ハイパーリンクにはセマンティックズーム値「４」が対応付けられている。そして、たとえば中見出し「Ａ１」とこれに従属する小見出し「ａ１１」、「ａ１２」というように、それぞれの表示要素とこれに直接に従属している他の各表示要素とがグループ化されている。
【００４６】
表示画面作成部２２５は、レイアウトデータ格納部２２４にこのような新たなレイアウトデータが格納されるのを監視し、格納された最新のレイアウトデータについて表示画面作成処理を行うようになっている。
【００４７】
図８および図９は、表示画面作成部の表示画面作成処理の流れを表わしたものである。表示画面作成部２２５は、レイアウトデータ格納部２２４に意味解析処理部２２３によって新たなレイアウトデータが格納されると（ステップＳ３６１：Ｙ）、まず画面構成の対象範囲を１ページ分のレイアウトデータ全体に設定するとともに、セマンティックズーム値を初期値として値「１」に設定する（ステップＳ３６２）。そして、レイアウトデータ格納部２２４の最新のレイアウトデータを参照して、設定された対象範囲とセマンティックズーム値に対応する表示要素を取得し、マトリクス状の配置あるいは複数のマトリクスが組み合わされた配置で画面を構成する（ステップＳ３６３）。
【００４８】
ここで、セマンティックズーム値に対応する表示要素とは、セマンティックズーム値に該当する表示要素とこれに従属する各表示要素のことであり、意味解析処理部２２３によってグループ化された複数の表示要素を指す。すなわち、ここでは各大見出しとこれらに従属する各中見出しのみを配置し、下の階層の各表示要素は省略された状態で画面が構成される。当然ながら、下の階層の表示要素が省略された分だけ表示に必要な画面サイズは小さくなる。次に、表示画面作成部２２５は、サイズ変更処理部２２９に、構成した画面の各表示要素のサイズを変更させる（ステップＳ３６４）。
【００４９】
図１０は、サイズ変更処理部のサイズ変更処理の流れを表わしたものである。サイズ変更処理部２２９は、まず画面の縦と横の画素数の目標値を設定する（ステップＳ３８１）。そして、サイズ変更処理部２２９は、図８のステップＳ３６３で構成された画面の縦と横の画素数を算出し（ステップＳ３８２）、目標の画面サイズに収まっている範囲内で、すなわち画面サイズを超過しない範囲で各表示要素のサイズを変更し（ステップＳ３８３）、処理を終了する（エンド）。このサイズ変更は、少なくとも該当するセマンティックズーム値の各表示要素を大きくする形で行われる。たとえば表示要素がテキストデータの場合には、フォント格納部２３０に格納された各種サイズのフォントを参照して大きなサイズのフォントが選択される。これは、ブラウン管２１１の表示範囲３２２に収まる範囲内でできるだけ表示要素である文字や記号あるいはイメージを大きく表示するためである。
【００５０】
この各表示要素のサイズ変更は、フォントサイズやフォントの拡大倍率を各セマンティックズーム値に対応付けて予め設定しておき、目標の画面サイズに関係なくサイズ変更を行うようにしたり、その設定をユーザが任意に行えるようにしてもよい。また、そのとき設定されているセマンティックズーム値に該当する表示要素のサイズ拡大を妨げない範囲内で、該当しない他の表示要素についてもサイズを大きくするようにしてもよい。
【００５１】
図８に戻って説明を続ける。サイズ変更処理部２２９によって各表示要素のサイズが変更されると（ステップＳ３６４）、たとえば左上に配置された表示要素のグループというようにいずれかの表示要素とこれに従属する表示要素を囲む形で初期位置に枠を配置する（ステップＳ３６５）。テキストデータのサイズの修正は、フォント格納部２３０の該当するサイズのフォントを適用することによって行われる。そして、ＴＶモニタ２０２のブラウン管２１１に表示させるとともに、文字読上処理部２２６に対して、枠が囲んでいる見出しの文字を読み上げる文字読上処理を実行させる（ステップＳ３６６）。
【００５２】
図１１は、このようにしてＴＶモニタに表示されるセマンティックズーム値「１」の画面を表わしたものである。ここでは、第１〜第６の大見出し３９１1〜３９１6がマトリクス状に配置されており、これらに従属する下の階層の各表示要素は省略表示されている。図５に示した画面に比べて、全体が表示範囲３２２に収まっているだけでなく、各大見出しが大きく表示されている。これにより、たとえば高齢者のように視力が弱いユーザにとっても視認性が向上する。また、スクロール操作もせずに済むため、高齢者や子供にも使い勝手が良い。リモートコントローラ２０４のキースイッチ部２１３には、図示しないが上下左右を指示するための方向キーと、決定する旨を指示するための「決定」キーが備えられている。この方向キーを操作することによって枠３９２を移動させることができるようになっており、表示されている任意の表示要素のグループに移動させることができるようになっている。そして、枠３９２がいずれかの表示要素を囲んでいる状態で「決定」キーが押下されると、表示画面作成部２２５は該当する表示要素に従属している他の表示要素を基にして新たな画面を構成して表示させるようになっている。
【００５３】
図２に示す入力情報解析部２２８は、リモートコントローラ２０４でどのような操作が行われたかを逐次検出し、これを表示画面作成部２２５へ通知するようになっている。たとえば、方向キーのうち「右」を示すキースイッチが押下された場合には、枠３９２を右に１つ移動させることを指示し、「決定」キーが押下された場合には、そのとき枠３９２が囲んでいる表示要素について次の処理を実行することを指示する。
【００５４】
ＨＴＭＬ文書格納部２２２に格納されるＨＴＭＬ文書の各表示要素の種類は、テキストデータとイメージデータとなっているが、イメージデータの表示要素には、ＨＴＭＬ文書の中でそれぞれ表示の対象とはならないファイル名称等のテキストデータが対応付けられている。レイアウトデータ格納部２２４には、レイアウトデータのそれぞれのイメージデータだけでなくそれぞれに対応するテキストデータも格納される。音声による読み上げは、表示要素がテキストデータの場合にはそのテキストデータが、イメージデータの場合にはそれに対応付けされたテキストデータが、それぞれ対象となる。
【００５５】
図１２は、文字読上処理部の文字読上処理の流れを表わしたものである。文字読上処理部２２６は、図８のステップＳ３６６に対応して表示画面作成部２２５から文字読上処理の実行を指示されると（ステップＳ４０１：Ｙ）、そのとき表示画面作成部２２５で枠３９２が囲んでいるいずれかの表示要素について読み上げの対象となるテキストデータを、レイアウトデータ格納部２２４に格納された該当するレイアウトデータから取得する（ステップＳ４０２）。たとえば、セマンティックズーム値が値「１」の場合には、枠３９２が囲んでいる範囲の大見出しとなっている表示要素のテキストデータが取得され、ここではテキスト「ＡＡＡＡＡ」となる。
【００５６】
そこで、音声データ格納部２３１を参照して、そのテキストに対応する音声データを取得する（ステップＳ４０３）。そして、図３の音声データ変換部２４８と音声データ送信部２４９を使用して、ＴＶモニタ２０２へと送り、ＴＶモニタ２０２のスピーカ２１２で出力させる（ステップＳ４０４）。表示画面作成部２２５で枠３９２が囲んでいる範囲に読み上げを行っていない表示要素がまだ残っている場合には（ステップＳ４０５：Ｙ）、ステップＳ４０２へ戻って次のテキストデータを取得する。表示画面作成部２２５で枠３９２が囲んでいる範囲内の読み上げの対象となる全てのテキストデータの音声出力が完了すると（ステップＳ４０５：Ｎ）、再び表示画面作成部２２５から文字読上処理の実行を指示されるのを待機する（リターン）。なお、枠３９２が囲んでいる範囲内のたとえば最も上の階層の表示要素のみを読み上げの対象とするようにしてもよい。
【００５７】
このようにして、枠３９２に囲まれた各表示要素の表示内容が読み上げられる。これにより、たとえば文字のサイズを大きくしてもこれを視認できなかったり視認はできるが読みがわからないというようなユーザに対して、表示内容の把握を助けることができる。また、枠の移動に対応して読み上げが行われるため、どのような表示要素が現在選択されているかを容易に認識することができる。
【００５８】
図８に戻って説明を続ける。表示画面作成部２２５は、入力情報解析部２２８から枠３９２の移動が指示されると（ステップＳ３６７：Ｙ）、その指示された方向で隣の別の表示要素のグループに枠３９２を移動させた形で画面を再構成し（ステップＳ３６８）、再びステップ３６６へ戻る。そして、ＴＶモニタ２０２に再構成した画面を表示させるとともに文字読上処理を文字読上処理部２２６に実行させる。一方、入力情報解析部２２８から「決定」キーが押下されたことが通知された場合、すなわち枠３９２が囲んでいる表示要素について次の処理を実行することが指示された場合には（ステップＳ３６７：Ｎ、ステップＳ３６９：Ｙ）、その表示要素がハイパーリンクであるか否かを判別する（ステップＳ３７０）。
【００５９】
ハイパーリンクではない場合には（Ｎ）、画面構成の対象範囲をその表示要素に従属するグループに設定し、セマンティックズーム値を１つ増加させる（図９ステップＳ３７１）。そして、レイアウトデータ格納部２２４の最新のレイアウトデータを参照し、設定された対象範囲とセマンティックズーム値に対応する表示要素が存在するか否かを判別する（ステップＳ３７２）。存在する場合には（Ｙ）、ステップ３６３へ戻り、レイアウトデータ格納部２２４を参照して該当する表示要素を取得して新たな画面を構成する。ここでは、図１１に示した大見出しのうち第１の大見出し３９１1「ＡＡＡＡＡ」のグループについて決定操作が行われたものとする。
【００６０】
図１３は、このように第１の大見出しについて決定操作が行われたときにＴＶモニタに表示されるセマンティックズーム値「２」の画面を表わしたものである。ここでは、第１の大見出し３９１1「ＡＡＡＡＡ」に従属する第１〜第３の中見出し４０３1〜４０３3がマトリクス状に配置されている。どの大見出し３９１のグループであるかを示すために第１の大見出し３９１1「ＡＡＡＡＡ」も表示されているが、枠３９２を移動させられる対象とはなっていない。これらの各表示要素は、図８のステップＳ３６４の処理により、図１１と同様に各表示要素の大きさが調整され、より大きく表示されている。この状態で、図８のステップＳ３６９で同様にして、第１の中見出し４０３1「Ａ１」のグループについて次の処理を実行することが指示されると、指示された表示要素がハイパーリンクではないため（ステップＳ３７０：Ｎ）、図９のステップＳ３７１とステップＳ３７２を経て再びステップＳ３６３へ戻る。すなわち、第１の中見出し４０３1「Ａ１」のグループに画面構成の対象範囲が設定され、セマンティックズーム値は値「３」となる。
【００６１】
図１４は、このように第１の中見出しについて決定操作が行われたときにＴＶモニタに表示されるセマンティックズーム値「３」の画面を表わしたものである。ここでは、第１の中見出し４０３1「Ａ１」に従属する第１および第２の小見出し４０４1、４０４2がマトリクス状に配置されている。ここでは、どの中見出し４０３のグループであるかを示すために第１の中見出し４０３1「Ａ１」も表示されているが、枠３９２を移動させられる対象とはなっていない。これらは、図８のステップＳ３６４およびステップＳ３６５の処理により、図１１や図１３と同様に各表示要素の大きさが調整され、より大きく表示されている。この状態で、図８のステップＳ３６９で同様にして、第１の小見出し４０４1「ａ１１」のグループについて次の処理を実行することが指示されると、これもハイパーリンクではないため（ステップＳ３７０：Ｎ）、ステップＳ３７１とステップＳ３７２を経て再びステップＳ３６３へ戻る。すなわち、第１の小見出し４０４1「ａ１１」のグループに画面構成の対象範囲が設定され、セマンティックズーム値は値「４」となる。
【００６２】
図１５は、このように第１の小見出しについて決定操作が行われたときにＴＶモニタに表示されるセマンティックズーム値「４」の画面を表わしたものである。ここでは、第１の小見出し４０４1「ａ１１」に従属する第１のハイパーリンク４０５1が配置されている。これらは、図８のステップＳ３６４およびステップＳ３６５の処理により、図１１〜図１４と同様に各表示要素の大きさが調整され、より大きく表示されている。この状態で、図８のステップＳ３６９で同様にして、第１のハイパーリンク４０５1「１１１」について次の処理を実行することが指示される。この指示された表示要素はハイパーリンクであるため（ステップＳ３７０：Ｙ）、該当する新たなＨＴＭＬ文書をインターネット２０１から取得する必要がある。そこで、そのハイパーリンクに付加されたＵＲＬをＨＴＭＬ文書格納部２２２の該当するＨＴＭＬ文書から取得し、これをページ取得処理部２２１へ渡し（ステップＳ３７３）、再びレイアウトデータ格納部２２４に意味解析処理部２２３によって新たなレイアウトデータが格納されるのを待機する（リターン）。ページ取得処理部２２１では、図４のステップＳ３０５でこれを受け取ると、同図ステップＳ３０６で指示されたＵＲＬにアクセスしてそのＨＴＭＬ文書を取得する。
【００６３】
一方、入力情報解析部２２８から１つ上の階層での表示に戻すことが指示された場合には（ステップＳ３６７：Ｎ、ステップＳ３６９：Ｎ、ステップＳ３７４：Ｙ）、セマンティックズーム値を１つ減らす（図９ステップＳ３７５）。このとき、画面構成の対象範囲を現在の対象範囲のうち最も上の階層の表示要素が含まれるグループに設定し直す。そしてステップ３６３（図８）へ戻り、レイアウトデータ格納部２２４を参照して該当する表示要素を取得して新たな画面を構成する。なお、ステップＳ３７２で画面構成の対象範囲とセマンティックズーム値に対応する表示要素が存在しないと判別された場合も（Ｎ）、ステップＳ３７５へ進み同様にセマンティックズーム値と画面構成の対象範囲を設定し直して、ステップＳ３６３へ戻る。
【００６４】
なお、ステップＳ３６１で新たなレイアウトデータがレイアウトデータ格納部２２４に格納されたと判別した後に、セマンティックズームを行うか否かの判別を行うようにしてもよい。この判別は、たとえばリモートコントローラ２０４に設けられた図示しないセマンティックズームの実行を指示するためのキースイッチが押下されたか、それとも押下されないまま他のキースイッチによる操作が開始されたかを検知することによって行うようにすればよい。そして、セマンティックズームを行う場合にはステップＳ３６２へ進み、行わない場合には通常のＨＴＭＬ解析を行って画面を構成し、枠移動に替えてポインタ移動を行うとともに、ハイパーリンクの選択やＵＲＬの直接入力が無い場合には画面の再構成を行わないようにすればよい。
【００６５】
更に、図１１および図１３〜図１５に示した各セマンティックズーム値における画面で枠３９２を移動させる際に、一時的に画面を詳細表示させるようにしてもよい。
【００６６】
図１６は、このような枠の移動時に画面の詳細表示を行うようにした場合のセマンティックズーム値「１」のときの画面を表わしたものである。図１１に比べて、下の階層の各表示要素がより詳細に表示されている。これにより、まず図１１の状態でウェブページの全体を把握して、それからそれぞれの大見出しの内容をより詳しく把握することができるようになっている。
【００６７】
また、参考のために、画面構成の対象範囲の設定を行わず、各表示要素についてサイズの拡大が行われない場合に、各セマンティックズーム値における画面がどのような状態となるかについて説明する。
【００６８】
図１７は、画面構成の対象範囲の設定やサイズ変更処理が行われない場合にＴＶモニタに表示されるセマンティックズーム値「１」の画面を表わしたものであり、図１１に対応するものである。ＴＶモニタ２０２のブラウン管２１１の表示範囲３２２には、図５と同様に各階層の表示要素が表示されており、その一部は表示範囲３２２からはみ出しているため、スクロール操作が必要となっている。また、第１の大見出し３９１1のサイズは図１１よりも小さく、より視認しづらくなっている。
【００６９】
図１８は、画面構成の対象範囲の設定やサイズ変更処理が行われない場合にＴＶモニタに表示されるセマンティックズーム値「２」の画面を表わしたものであり、図１３に対応するものである。表示範囲３２２には、図１３と同様に第１の中見出し４０３1や枠３９２が表示されているが、図１３よりも小さく、より視認しづらくなっている。
【００７０】
図１９は、画面構成の対象範囲の設定やサイズ変更処理が行われない場合にＴＶモニタに表示されるセマンティックズーム値「３」の画面を表わしたものであり、図１４に対応するものである。表示範囲３２２には、図１４と同様に第１の小見出し４０４1や枠３９２が表示されているが、図１４よりも小さく、より視認しづらくなっている。
【００７１】
図２０は、画面構成の対象範囲の設定やサイズ変更処理が行われない場合にＴＶモニタに表示されるセマンティックズーム値「４」の画面を表わしたものであり、図１５に対応するものである。表示範囲３２２には、図１５と同様に第１のハイパーリンク４０５1や枠３９２が表示されているが、図１５よりも小さく、より視認しづらくなっている。
【００７２】
以上の各図との比較からも分かるように、画面構成の対象範囲の設定を行い更に各表示要素のサイズ拡大を行うことによって、ウェブページに配置される各表示要素の視認性を向上させることができる。これにより、視力の弱い人でも所望の情報やハイパーリンクにより確実に到達することが可能となる。
【００７３】
以上説明したように本実施例では、従来のＨＴＭＬ解析では１ページに表示される多数の表示要素を、その従属関係により階層化し、更に同じ表示要素に従属する表示要素をまとめる形でグループ分けする。そして、同じ階層の複数のグループを配置して画面を構成するとともに、グループ単位で移動させることのできる枠３９２を表示させる。枠３９２がいずれかのグループを囲んだ状態で「決定」キーが押下されると、そのグループの表示要素に従属するより下の階層の複数のグループを配置して画面を構成する。これにより、枠３９２を上下左右に移動させて所望のグループのところで「決定」キーを押下するという操作を繰り返すことで、所望の情報やハイパーリンクに到達することができ、更に表示要素がハイパーリンクの場合には新たなウェブページを取得することができる。したがって、キーボード入力やマウス操作に不慣れな高齢者や子供等のいわゆるＩＴ弱者でも、簡単に目的のウェブページに到達することができる。すなわち、ポータルサイトを含む各種ウェブサイトで提供されるサービスの中から所望のサービスを享受することができる。
【００７４】
また、複数のグループを配置して画面を構成させるときに、各グループの表示要素のうち重要なものは大きく表示させるため、各表示要素の視認性を向上させることができる。更に、枠３９２が囲んでいるグループの各表示要素の表示内容を読み上げるようになっている。これにより、たとえば高齢者といった視力の弱い人や、子供のように漢字を読むことが難しい人に対して、各表示要素の表示内容の把握を補助することができる。すなわち、人に優しいユニバーサルデザイン（Universal Design）の情報閲覧環境を実現することができる。
【００７５】
また、ＴＶモニタで出力可能な画像データや音声データに変換して出力するので、既存のＴＶモニタを利用してウェブサイトの閲覧を楽しむことができるとともに、通常のＴＶモニタでのチャネル切替操作と同じような感覚で所望のウェブページの閲覧を行うことができる。更に、セマンティックズームにより一度に画面に表示させる表示要素の個数を減らすので、一般的にパーソナルコンピュータのモニタの画素数に合わせて作成されることが多いウェブページを、より画素数が少ないＴＶモニタでも表示可能な範囲に収めることが可能となる。
【００７６】
なお、各表示要素のサイズを選択するサイズ変更処理部２２９と各表示要素のテキストデータを読み上げる文字読上処理部２２６の両方ではなく、いずれかのみを備える構成としてもよい。また、閲覧の対象となる情報をＨＴＭＬ文書としたが、他のマークアップ言語による各種文書や、複数の表示要素を配置させてページを構成する各種データに適用できることは当然である。更に、各機能部を、従来のＨＴＭＬ解析を行うブラウザソフトウェアが付加機能として実行するプログラムで実現させてもよく、ブラウザソフトウェアで、通常のＨＴＭＬ解析を行ってウェブページを表示させるか、以上説明した各種処理を実行するかを選択できるようにしてもよい。
【００７７】
また、図２に示したセットトップボックス２０３の各機能部は、ＣＡＴＶ用以外の各種セットトップボックスや、パーソナルコンピュータやその他情報処理装置に備えさせたり、テレビジョン用ではない専用のモニタに出力させるようにしてもよい。また、ＣＰＵが実行する対象となるプログラムとして各機能部を実現するようにしてもよく、この場合には通信によるダウンロードや着脱自在な記録媒体によってこのプログラムをインストールすることで、汎用の情報処理装置に以上説明した各処理を行わせることができる。あるいは、セットトップボックス２０３の各機能部は、ウェブページを公開しているインターネット２０１上の各サーバに備えさせるようにしてもよく、この場合には入力情報解析部２２８が解析した情報をそのサーバへ送信し、サーバから受信した画像データや音声データをモニタ等の表示手段に転送するようにすればよい。また、インターネット２０１に配置した専用のサーバに備えさせるようにしてもよく、この場合には更にセットトップボックス２０３側に備えられたページ取得処理部２２１が取得したＨＴＭＬ文書をその専用のサーバに送信するようにすればよい。
【００７８】
更に、アナログ信号によってデータの入出力を行う解像度の低いＣＲＴによるＴＶモニタで表示させる場合について説明したが、表示手段はこれに限るものではない。たとえば、デジタル信号入出力あるいはアナログデジタル混在の信号入出力を行うモニタや、液晶ディスプレイによるモニタ、パーソナルコンピュータ用等の解像度が十分に高いモニタ等、各種のモニタに本発明を適用可能であることはもちろんである。解像度の高いモニタに適用する場合、更に表示要素のサイズを拡大したり、あるいは各表示要素に十分なサイズを確保した上で一度に表示させる階層の範囲を更に広げるといったことが可能である。また、モニタの解像度や表示範囲の縦横の比率を調整可能とし、テレビジョン放送を閲覧するときとウェブページ閲覧時とでそれぞれに適した設定をプリセットしておきこれを切り替えるようにしてもよい。また、リモートコントローラは赤外光によって無線通信を行うとしたが、他の方式の無線通信を適用してもよいし、ケーブルでセットトップボックスに接続して有線による通信を行うようにしてもよい。更にいえば、モニタの画面にタッチパネルを配置し、これを使用して各種操作を行えるようにしてもよい。
【図面の簡単な説明】
【００７９】
【図１】本発明の一実施例による情報閲覧システムの構成を表わしたシステム構成図である。
【図２】本発明の実施例によるセットトップボックスの構成を表わした構成図である。
【図３】本発明の実施例によるセットトップボックスの回路構成の概要を表わした回路構成図である。
【図４】本発明の実施例によるページ取得処理部のページ取得処理の流れを表わした流れ図である。
【図５】参考のためにＨＴＭＬ文書格納部に格納されるＨＴＭＬ文書を従来の手法で解析して表示画面を作成したときにＴＶモニタに表示される画面を表わした説明図である。
【図６】本発明の実施例による意味解析処理部の意味解析処理の流れを表わした流れ図である。
【図７】本発明の実施例によるレイアウトデータ格納部に格納される内容の一部を表わした説明図である。
【図８】本発明の実施例による表示画面作成部の表示画面作成処理の流れの前半を表わした流れ図である。
【図９】本発明の実施例による表示画面作成部の表示画面作成処理の流れの後半を表わした流れ図である。
【図１０】本発明の実施例によるサイズ変更処理部のサイズ変更処理の流れを表わした流れ図である。
【図１１】本発明の実施例によるＴＶモニタに表示されるセマンティックズーム値「１」の画面を表わした説明図である。
【図１２】本発明の実施例による文字読上処理部の文字読上処理の流れを表わした流れ図である。
【図１３】本発明の実施例による第１の大見出しについて決定操作が行われたときにＴＶモニタに表示されるセマンティックズーム値「２」の画面を表わした説明図である。
【図１４】本発明の実施例による第１の中見出しについて決定操作が行われたときにＴＶモニタに表示されるセマンティックズーム値「３」の画面を表わした説明図である。
【図１５】本発明の実施例による第１の小見出しについて決定操作が行われたときにＴＶモニタに表示されるセマンティックズーム値「４」の画面を表わした説明図である。
【図１６】本発明の実施例による枠の移動時に画面の詳細表示を行うようにした場合のセマンティックズーム値「１」のときの画面を表わした説明図である。
【図１７】参考のために、画面構成の対象範囲の設定やサイズ変更処理が行われない場合にＴＶモニタに表示されるセマンティックズーム値「１」の画面を表わした説明図である。
【図１８】参考のために、画面構成の対象範囲の設定やサイズ変更処理が行われない場合にＴＶモニタに表示されるセマンティックズーム値「２」の画面を表わした説明図である。
【図１９】参考のために、画面構成の対象範囲の設定やサイズ変更処理が行われない場合にＴＶモニタに表示されるセマンティックズーム値「３」の画面を表わした説明図である。
【図２０】参考のために、画面構成の対象範囲の設定やサイズ変更処理が行われない場合にＴＶモニタに表示されるセマンティックズーム値「４」の画面を表わした説明図である。
【図２１】従来より一般的に行われていたウェブページを閲覧するための情報閲覧システムの構成を表わしたシステム構成図である。
【図２２】従来提案された情報閲覧システムの概要を表わしたシステム構成図である。
【符号の説明】
【００８０】
２００  情報閲覧システム
２０１  インターネット
２０２  ＴＶモニタ
２０３  セットトップボックス
２０４  リモートコントローラ
２０５  ネットワークケーブル
２０６  ＣＡＴＶ配信用ケーブル
２０７  ＡＶケーブル
２１１  ブラウン管
２１２  スピーカ
２１３  キースイッチ部
２１４  入力情報送信部
２２１  ページ取得処理部
２２２  ＨＴＭＬ文書格納部
２２３  意味解析処理部
２２４  レイアウトデータ格納部
２２５  表示画面作成部
２２６  文字読上処理部
２２７  入力情報受信部
２２８  入力情報解析部
２２９  サイズ変更処理部
２３０  フォント格納部
２３１  音声データ格納部
２４１  ＣＰＵ
２４２  ＲＯＭ
２４３  ＲＡＭ
２４４  ネットワーク通信部
２４５  受光部
２４６  画像データ変換部
２４７  画像データ送信部
２４８  音声データ変換部
２４９  音声データ送信部
【図１】
2006279887.tif 000003
【図２】
2006279887.tif 000004
【図３】
2006279887.tif 000005
【図４】
2006279887.tif 000006
【図５】
2006279887.tif 000007
【図６】
2006279887.tif 000008
【図７】
2006279887.tif 000009
【図８】
2006279887.tif 000010
【図９】
2006279887.tif 000011
【図１０】
2006279887.tif 000012
【図１１】
2006279887.tif 000013
【図１２】
2006279887.tif 000014
【図１３】
2006279887.tif 000015
【図１４】
2006279887.tif 000016
【図１５】
2006279887.tif 000017
【図１６】
2006279887.tif 000018
【図１７】
2006279887.tif 000019
【図１８】
2006279887.tif 000020
【図１９】
2006279887.tif 000021
【図２０】
2006279887.tif 000022
【図２１】
2006279887.tif 000023
【図２２】
2006279887.tif 000024